(57)【要約】      （修正有）【課題】コネクタの挿抜の際に電極端子部分の汚れを拭う（ワイピング）機能を有するＺＩＦコネクタを提供する。【解決手段】電極リードを両端に保持し平行に配置された第１及び第２の電極保持部材と，前記第１の電極保持部材に一端が軸支され他端が前記第２の電極保持部材に軸支された一対の平行するリンク部材を有し，前記リンク部材は，中央部に回動可能の軸、及び，前記軸に連結されたレバーを有し，前記第１及び第２の電極保持部材に保持される電極リードの外側に端子リード１１１ａ、ｂが挿入された状態で，前記レバーの回動により前記第１及び第２の電極保持部材が互いに反対方向に移動しながら，電極保持部材の間隔が広げられるとき，前記第１及び第２の電極保持部材に保持された電極リードが前記端子リードに接触しながらスライドするように構成される。【選択図】  図２
2008098101.tif 000002
【特許請求の範囲】
【請求項１】
それぞれ電極リードを両端に保持し，平行に配置された第１及び第２の電極保持部材と，
それぞれ前記第１の電極保持部材に一端が軸支され，他端が前記第２の電極保持部材に軸支された一対の平行するリンク部材を有し，
前記一対の平行するリンク部材は，それぞれの中央部に回動可能の軸を備え，
さらに，前記一対の平行するリンク部材のそれぞれの中央部の回動可能の軸に連結されたレバーを有し，
前記第１及び第２の電極保持部材に保持される電極リードの外側に端子リードが挿入された状態で，前記レバーの回動により前記第１及び第２の電極保持部材が，互いに反対方向に移動しながら，前記平行に配置された第１及び第２の電極保持部材の間隔が広げられるとき，前記第１及び第２の電極保持部材に保持された電極リードが前記端子リードに接触しながらスライドする，
ように構成されていることを特徴とする無挿抜力コネクタ。
【請求項２】
電極リードを両端に保持し，平行に配置された第１及び第２の電極保持部材の組を複数有し，
前記複数組のそれぞれの組の第１及び第２の電極保持部材に対応して，
それぞれ前記第１の電極保持部材に一端が軸支され，他端が前記第２の電極保持部材に軸支された一対の平行するリンク部材を有し，
前記一対の平行するリンク部材は，それぞれの中央部に前記複数組に共通した回動可能の軸を備え，
さらに，前記一対の平行するリンク部材のそれぞれの中央部の回動可能の軸に連結されたレバーを有し，
前記第１及び第２の電極保持部材に保持される電極リードの外側に端子リードが挿入された状態で，前記レバーの回動により前記第１及び第２の電極保持部材が，互いに反対方向に移動しながら，前記平行に配置された第１及び第２の電極保持部材の間隔が広げられるとき，前記第１及び第２の電極保持部材に保持された電極リードが前記端子リードに接触しながらスライドする，
ように構成されていることを特徴とする無挿抜力コネクタ。
【請求項３】
請求項１又は２において，さらに，
前記第１及び第２の電極保持部材の両端側に保持される電極リードに対応する端子リードをそれぞれ保持する基板受け入れ部とケーブル受け入れ部が，挿入にされる凹部を有することを特徴とする無挿抜力コネクタ。
【請求項４】
複数段に積層された複数のコネクタを有し，
前記複数のコネクタの各々は，それぞれ電極リードを両端に保持し，平行に配置された第１及び第２の電極保持部材と，
それぞれ前記第１の電極保持部材に一端が軸支され，他端が前記第２の電極保持部材に軸支された一対の平行するリンク部材を有し，
前記一対の平行するリンク部材は，それぞれの中央部に回動可能の軸を備え，
さらに，前記一対の平行するリンク部材のそれぞれの中央部の回動可能の軸に連結されたレバーを有し，
前記第１及び第２の電極保持部材に保持される電極リードの外側に端子リードが挿入された状態で，前記レバーの回動により前記第１及び第２の電極保持部材が，互いに反対方向に移動しながら，前記平行に配置された第１及び第２の電極保持部材の間隔が広げられるとき，前記第１及び第２の電極保持部材に保持された電極リードが前記端子リードに接触しながらスライドするように構成され，
更に，前記複数のコネクタに有するレバー先端が連結バーに結合され，前記連結バーに対するシフト操作により前記複数のコネクタの電極リードと前記端子リードとの接続が一括して行われるように構成されていることを特徴とする無挿抜力コネクタ。
【発明の詳細な説明】
【技術分野】
【０００１】
本発明は，無挿抜力（ＺＩＦ：Zero Insertion Force）コネクタに関し，特に多芯数を有する無挿抜力コネクタに関する。
【背景技術】
【０００２】
電子機器基板に形成されている複数の電極端子と外部機器とを接続するために，多芯数のコネクタが用いられている。
【０００３】
特に，電子機器の回路基板に形成されている複数の電極端子と確実な電気的接触をさせるために，多数のコンタクトピンを有する（多芯の）コネクタを，前記回路基板に挿入し，あるいは抜出する際には，大きな挿抜力が必要である。
【０００４】
このために，挿抜力を小さくするための機構を備えた無挿抜力（ＺＩＦ：Zero Insertion Force）コネクタが提案され，使用されている。
【０００５】
かかるＺＩＦコネクタの一例として，特許文献１に記載の発明がある。
【０００６】
図１Ａ，図１Ｂは，かかる特許文献１に記載の，一般的な従来のＺＩＦコネクタ構造の特徴部分を模式的側断面で示す図４を再掲して示す図である。
【０００７】
図１Ａ，図１Ｂにおいて，それぞれ（ａ）はコネクタを挿入した状態，（ｂ）は更にコンタクトピン１０（１１）を回路基板１２の電極端子と接触させた状態を示している。
【０００８】
図１Ａ，図１Ｂにおいて，回路基板１２の両側を挟むよう支持部１４に設けられた一対のコンタクトピン１０（１１）が配置されている。
【０００９】
さらに，図１Ａに示す構造例では，コンタクトピン１０の外側に偏心カム３が配置されている。コンタクトピン１は，回路基板１２から離れるようなバネ性を有している。したがって，小さな挿抜力で，コネクタをコンタクトピン１０が回路基板２を挟むように挿入することができる。そして，コンタクトピン１が回路基板２の電極端子に対向した状態で，偏心カム３を回転することにより，コンタクトピン１０が回路基板１２に形成された電極端子に押しつけられて電気的接触をするという構造である。
【００１０】
一方，図１Ｂに示す構造例では，一対のコンタクトピン１１の内側に楕円状カム１５が配置されている。コンタクトピン１１は，回路基板１２を挟んで狭まるようなバネ性を有している。コネクタを回路基板２に挿入する際は，コンタクトピン１１のバネ性に反抗するように，楕円状カム１５を回転した状態とする。これにより，小さな挿抜力で，コネクタをコンタクトピン１１が回路基板２を挟むように挿入することができる。そして，コンタクトピン１１が回路基板１２の電極端子に対向した状態で，楕円状カム５を元に戻すように回転することにより，コンタクトピン１１が自身のバネ力で，回路基板２に形成された電極端子に押しつけられて電気的接触をするという構造である。
【特許文献１】特開２００２−３４５１０号公報
【発明の開示】
【発明が解決しようとする課題】
【００１１】
上記特許文献１において，更に図１Ａ，図１Ｂに示した従来構造に対し，構造堅牢で多芯数化が図れるというコネクタ構造を提案している。かかる特許文献１の発明として提案されている構造は，一対のコンタクトピンの間に設けたスライダーを上下にスライド移動させて，コンタクトピンの間隔を変える機構を用いている。 
【００１２】
しかし，かかる特許文献１に記載の図１Ａ，図１Ｂに示した従来構造は，基本的にコネクタを回路基板に挿入した後に，コンタクトピン１を電極端子に点接触させる構造である。
【００１３】
かかる構造の場合においてコネクタの挿抜が繰り返されると，電極端子部分の汚れが堆積し，接触不良を招く恐れが大きい。
【００１４】
また，特許文献１において更に図１Ａ，図１Ｂに示した従来構造の欠点を解消するべく新規の発明として提案している構造においても同様の理由により電極端子部分の汚れが堆積し，接触不良を生じる恐れが有る。
【００１５】
したがって，本発明の目的は，かかる従来のコネクタにおける電極端子部分の汚れが堆積するという問題を解消するために，コネクタの挿抜の際に電極端子部分の汚れを拭う（ワイピング）機能を有する新規の構造を有するＺＩＦコネクタを提供することにある。
【課題を解決するための手段】
【００１６】
上記の課題を達成する本発明に従うコネクタの第１の態様は，それぞれ電極リードを両端に保持し，平行に配置された第１及び第２の電極保持部材と，
それぞれ前記第１の電極保持部材に一端が軸支され，他端が前記第２の電極保持部材に軸支された一対の平行するリンク部材を有し，
前記一対の平行するリンク部材は，それぞれの中央部に回動可能の軸を備え，
さらに，前記一対の平行するリンク部材のそれぞれの中央部の回動可能の軸に連結されたレバーを有し，
前記第１及び第２の電極保持部材に保持される電極リードの外側に端子リードが挿入された状態で，前記レバーの回動により前記第１及び第２の電極保持部材が，互いに反対方向に移動しながら，前記平行に配置された第１及び第２の電極保持部材の間隔が広げられるとき，前記第１及び第２の電極保持部材に保持された電極リードが前記端子リードに接触しながらスライドするように構成されていることを特徴とする。
【００１７】
上記の課題を達成する本発明に従うコネクタの第２の態様は，電極リードを両端に保持し，平行に配置された第１及び第２の電極保持部材の組を複数有し，
前記複数組のそれぞれの組の第１及び第２の電極保持部材に対応して，
それぞれ前記第１の電極保持部材に一端が軸支され，他端が前記第２の電極保持部材に軸支された一対の平行するリンク部材を有し，
前記一対の平行するリンク部材は，それぞれの中央部に前記複数組に共通した回動可能の軸を備え，
さらに，前記一対の平行するリンク部材のそれぞれの中央部の回動可能の軸に連結されたレバーを有し，
前記第１及び第２の電極保持部材に保持される電極リードの外側に端子リードが挿入された状態で，前記レバーの回動により前記第１及び第２の電極保持部材が，互いに反対方向に移動しながら，前記平行に配置された第１及び第２の電極保持部材の間隔が広げられるとき，前記第１及び第２の電極保持部材に保持された電極リードが前記端子リードに接触しながらスライドするように構成されていることを特徴とする。
【００１８】
前記第１及び第２の態様において，さらに前記第１及び第２の電極保持部材の両端側に保持される電極リードに対応する端子リードをそれぞれ保持する基板受け入れ部とケーブル受け入れ部が，挿入にされる凹部を有することを特徴とする。
【００１９】
上記の課題を達成する本発明に従うコネクタの第３の態様は，複数段に積層された複数のコネクタを有し，
前記複数のコネクタの各々は，それぞれ電極リードを両端に保持し，平行に配置された第１及び第２の電極保持部材と，
それぞれ前記第１の電極保持部材に一端が軸支され，他端が前記第２の電極保持部材に軸支された一対の平行するリンク部材を有し，
前記一対の平行するリンク部材は，それぞれの中央部に回動可能の軸を備え，
さらに，前記一対の平行するリンク部材のそれぞれの中央部の回動可能の軸に連結されたレバーを有し，
前記第１及び第２の電極保持部材に保持される電極リードの外側に端子リードが挿入された状態で，前記レバーの回動により前記第１及び第２の電極保持部材が，互いに反対方向に移動しながら，前記平行に配置された第１及び第２の電極保持部材の間隔が広げられるとき，前記第１及び第２の電極保持部材に保持された電極リードが前記端子リードに接触しながらスライドするように構成され，
更に，前記複数のコネクタに有するレバー先端が連結バーに結合され，前記連結バーに対するシフト操作により前記複数のコネクタの電極リードと前記端子リードとの接続が一括して行われるように構成されていることを特徴とする。
【００２０】
上記の特徴により，多芯数のコネクタにおいても，少ない挿抜力で基板端子リードあるいはケーブル端子リードとの接続が可能の無挿抜力コネクタが得られる。
【００２１】
また，上記第３の態様においては，複数基板の基板端子リードとの接続も小さな挿抜力で一括して行うことができる。
【発明を実施するための最良の形態】
【００２２】
以下に，本発明の実施の形態例を図面に従い説明する。なお，実施の形態例は本発明の理解のためのものであり，本発明の技術的範囲がこれに限定されるものではない。
【００２３】
図２は，本発明に従うＺＩＦコネクタの一実施例の横断面分解構造を示す図である。
【００２４】
図に示すコネクタは，回路基板１００の上下面に形成された電極端子に電気的に接続された端子リード１０１ａ，１０１ｂを収容する基板受け入れ部１と，回路基板１００の端子リード１０１ａ，１０１ｂに対応して接続される同軸ケーブル２０１ａ，２０１ｂを収容する同軸受け入れ部２と，基板受け入れ部１と同軸受け入れ部２を中継接続するコネクタ本体部３を有している。
【００２５】
回路基板１００の端子リード１０１ａ，１０１ｂは，その延長部としての平行端子リード１１１ａ，１１１ｂに繋がっている。平行端子リード１１１ａ，１１１ｂはその外側が外被部材１２０で保持され，内側が露出している。
【００２６】
同様に，同軸受け入れ部２側は，同軸ケーブル２０１ａ，２０１ｂの延長部として同軸ケーブル側基板２００に形成された平行端子リード１１２ａ，１１２ｂに繋がっている。そして，平行端子リード１１２ａ，１１２ｂはその外側が外被部材１２１で保持され，内側が露出している。
【００２７】
さらに，基板受け入れ部１と同軸受け入れ部２は，それぞれに中央勘合突起部１０２，２０２を有し，コネクタ本体部３の中央凹部３１０，３１１に挿入して位置決めを行い，基板受け入れ部１，同軸受け入れ部２及びコネクタ本体部３が一体とされる。
【００２８】
そして，基板受け入れ部１，同軸受け入れ部２及びコネクタ本体部３間の電気的接続は，本発明の特徴部分としてコネクタ本体部３の構造によって行われる。
【００２９】
図３は，コネクタ本体部３の中心機能である４節リンクを説明する図である。
【００３０】
図３において，それぞれ両端側にバネ性を有する電極リード３０１ａ，３０１ｂを有する一対の電極リード保持部材３００ａ，ｂを有する。
【００３１】
一対の電極リード保持部材３００ａ，ｂは，それぞれ中央回転軸３０２ａ，３０３ａで回動可能なリンク部材３０２と３０３により連結されている。すなわち，軸３０２ｂ，３０２ｃ及び軸３０３ｂ，３０３ｃにより電極リード保持部材３００ａ，ｂのそれぞれの両端とリンク部材３０２と３０３の軸３０２ｂ，３０２ｃ及び軸３０３ｂ，３０３ｃと結合されて，４節のリンク機構を構成している。
【００３２】
図３（Ａ）に示す状態において，リンク部材３０２，３０３の中央回転軸３０２ａ，３０３ａを中心に矢印方向に回転すると，図３（Ｂ）に示すように，一対の電極リード保持部材３００ａ，ｂは，対向する間隔が大きくなり，且つそれぞれ図に示すように反対方向にスライドされる。
【００３３】
図４は，基板受け入れ部１及び同軸受け入れ部２の中央勘合突起部１０２，２０２がコネクタ本体部３の中央凹部３１０，３１１に挿入されて，一体化した状態を示す図である。
【００３４】
さらに，図４（Ａ）は， コネクタ本体部３が，図３（Ａ）の状態にある時を示し，図４（Ｂ）は，コネクタ本体部３が，図３（Ｂ）の状態にある時を示している。図４（Ｃ）は，図４（Ａ），（Ｂ）の○で囲んだ部分のみを切り出し，一方側のみの電極リード保持部材３００ａのスライド移動状態を示す図である。
【００３５】
図４において，リンク部材３０２と３０３の軸３０２ａ，３０３ａのいずれか一方，例えば軸３０３ａが回転レバー４０に連結し，回転レバー４０の先端を図４（Ａ）〜図４（Ｂ）に示すように左方向に駆動すると，軸３０３ａが回転し，リンク部材３０２，３０３が，図３（Ｂ）に示す状態になる。
【００３６】
これにより，一対の電極リード保持部材３００ａ，ｂのそれぞれの両端に有する電極リード３０１ａ，３０１ｂの先端部が図４（Ｃ）に示すａ，ｂ，ｃのように順次スライド移動する。
【００３７】
この時，電極リード３０１ａ，３０１ｂの先端部は，基板受け入れ部１の平行端子リード１１１ａ，１１１ｂと同軸受け入れ部２の平行端子リード１１２ａ，１１２ｂに接触しながら，それらの電極表面をスライドされる。
【００３８】
これにより，本発明のコネクタ構造において，コネクタ接続即ち，基板受け入れ部１及び同軸受け入れ部２をコネクタ本体部３に挿入する際に，基板受け入れ部１の平行端子リード１１１ａ，１１１ｂと同軸受け入れ部２の平行端子リード１１２ａ，１１２ｂを電極面を擦る作用を生じるので，従来における電極端子面に汚れが堆積し，従って電気的接触不良を回避でき，信頼性の高いコネクタが得られる。
【００３９】
図５は，本発明に従うコネクタ構造を多芯数コネクタに適用することを説明する図である。
【００４０】
図５（Ａ）,（Ｂ）は，電極リード３０１ａ，３０１ｂを有する電極リード保持部材３００ａ，ｂがリンク部材３０２，３０３により結合された状態で複数並列に配置された上面図と，横断面図を示す図である。
【００４１】
かかる構造において，リンク部材３０２，３０３の軸３０２ａ，３０３ａは，それぞれ同軸状に複数列に配置されるリンク部材３０２，３０３を連結している。
【００４２】
したがって，軸３０２ａあるいは３０３ａの一方端に配置される一つの回転レバー４０により，一斉に複数に配置されたリンク部材３０２，３０３をスライドさせて，基板受け入れ部１及び同軸受け入れ部２をコネクタ本体部３に接続することが容易に可能である。
【００４３】
この際，それぞれの電極リード保持部材３００ａ，ｂの電極リード３０１ａ，３０１ｂで，基板受け入れ部１及び同軸受け入れ部２の電極の汚れを除去し，堆積を防止することが可能である。
【００４４】
図６は，図５に示した多芯数コネクタを多段（図に示下例では５段）に積み重ねた構成として利用する実施例であり，５段のコネクタＣ１〜Ｃ５のコネクタ本体部３の基板受け入れ部１から見た図である。
【００４５】
図７は，図６の多段積みの図５に示した多芯数コネクタを横から見た図である。図６において，中央部に基板受け入れ部１の中央勘合突起部１０２が挿入される中央凹部３１０が見えている。
【００４６】
図７において，それぞれのコネクタの回転レバー４０の端部は，共通にリンクするスライドバーに結合している。
【００４７】
したがって，スライドバー４１を図７（Ａ）から図７（Ｂ）に示すように矢印方向にスライドさせると，全てのコネクタは，同時に図４（Ａ）の状態から図４（Ｂ）の状態となる。したがって，複数のコネクタ本体部３を回路基板１００あるいは同軸ケーブル基板２００との接続を大きな挿入力を有さずに容易に行うことができる。
【００４８】
同時に，コネクタ本体部の電極リード３０１ａ，３０１ｂの先端部により，挿抜の都度，平行端子リード１１１ａ，１１１ｂ，１１２ａ，１１２ｂの電極面を擦るので，汚れの堆積を防止することができる。
【図面の簡単な説明】
【００４９】
【図１Ａ】特許文献１に記載の，一般的な従来のＺＩＦコネクタ構造の特徴部分を模式的側断面で示す図４を再掲して示す図（その１）である。
【図１Ｂ】特許文献１に記載の，一般的な従来のＺＩＦコネクタ構造の特徴部分を模式的側断面で示す図４を再掲して示す図（その２）である。
【図２】本発明に従うＺＩＦコネクタの一実施例の横断面分解構造を示す図である。
【図３】コネクタ本体部３の中心機能である４節リンクを説明する図である。
【図４】基板受け入れ部１及び同軸受け入れ部２の中央勘合突起部１０２，２０２がコネクタ本体部３の中央凹部３１０，３１１に挿入されて，一体化した状態を示す図である。
【図５】本発明に従うコネクタ構造を多芯数コネクタに適用することを説明する図である。
【図６】図５に示した多芯数コネクタを多段（図に示下例では５段）に積み重ねた構成として利用する実施例を示す図である。
【図７】図６の多段積みの図５に示した多芯数コネクタを横から見た図である。
【符号の説明】
【００５０】
１  基板受け入れ部
２  同軸受け入れ部
３  コネクタ本体部
１００回路基板  
１０１ａ，１０１ｂ端子リード  
１０２，２０２  央勘合突起部
３１０，３１１  中央凹部
３００ａ，ｂ  電極リード保持部材
３０１ａ，３０１ｂ  電極リード
３０２，３０３  リンク部材
３０２ａ，３０３ａ  中央回転軸
【図１Ａ】
2008098101.tif 000003
【図１Ｂ】
2008098101.tif 000004
【図２】
2008098101.tif 000005
【図３】
2008098101.tif 000006
【図４】
2008098101.tif 000007
【図５】
2008098101.tif 000008
【図６】
2008098101.tif 000009
【図７】
2008098101.tif 000010